(57)【要約】【課題】施工が容易で、雑草排除作用に優れ、土壌への悪影響もなく、自然景観との調和も図ることができる防草工法を提供する。【解決手段】防草工法は、土質材、セメント系固化剤、団粒化剤及び水を混ぜ合わせる混練工程と、前記混練工程で形成された混練物を地盤１６上に打設して固化させることにより雑草排除作用を有する植栽層１７を形成する造成工程と、造成工程で形成された植栽層１７の表面１７ａに複数の植栽穴１８を形成する造穴工程と、前記造穴工程で形成された植栽穴１８にそれぞれ地被植物の一つである芝生の苗１９を植え込む定植工程と、を備えている。【選択図】図３
2011092098.tif 000002
【特許請求の範囲】
【請求項１】
土質材、セメント系固化剤、団粒化剤及び水を混ぜ合わせる混練工程と、前記混練工程で形成された混練物を地盤上に打設して植栽層を形成する造成工程と、前記造成工程で形成された植栽層の表面に植栽穴を形成する造穴工程と、前記造穴工程で形成された植栽穴に地被植物の苗を植え込む定植工程と、を備えたことを特徴とする防草工法。
【請求項２】
前記植込穴が前記育成層の表面から前記地盤に至る深さであることを特徴とする請求項１記載の防草工法。
【請求項３】
前記団粒化剤が、アクリル酸・メタクリル酸ジメチルアミノエチル共重合物のマグネシウム塩とポリエチレンイミンとの複合体からなる高分子化合物を含むものであることを特徴とする請求項１または２記載の防草工法。
【発明の詳細な説明】
【技術分野】
【０００１】
本発明は、道路の中央分離帯、路側帯、公園あるいは庭園などに防草領域を形成する工法に関する。
【背景技術】
【０００２】
従来の防草工法として、土地の表面を非透水性のシート材で覆ってしまう工法あるいは雑草が活着できない硬質層を地盤の上に形成する工法が提案されている（例えば、特許文献１，２参照。）。これらの工法が施工された土地は長期間に亘って雑草が生えることがなく、防草効果の点では優れているが、周囲の自然景観との調和がとれないことがあるので、自然との調和が求められる施工現場には不向きである。
【０００３】
一方、雑草の生育を排除しながら、土地の景観を良好に保つ防草工法として、地被植物が生育可能な地被植物植栽シートを地面に敷設した後、この地被植物植栽シートに形成された切れ目の位置に地被植物の苗を植え込む工法が提案されている（例えば、特許文献３参照。）。
【０００４】
特許文献３記載の防草工法は、雑草の生育を排除しながら、土地の表面を地被植物で覆われた状態とすることができるので、特許文献１，２記載の防草工法に比べ、周囲の自然景観との調和という観点では優れた工法である。
【先行技術文献】
【特許文献】
【０００５】
【特許文献１】特開２００３−１２９４０５号公報
【特許文献２】特開２００６−３７４３７号公報
【特許文献３】登録実用新案第３０２９６９２号公報
【発明の概要】
【発明が解決しようとする課題】
【０００６】
特許文献３記載の防草工法においては、土地の表面に敷設された織布シートの係止手段が設けられていないので、施工後、地被植物が土地に根付いて係止作用を発揮する前に、強い風が吹くと、捲れたり、飛ばされたりする可能性がある。また、大雨が降ったときに、織布シートが正規の位置からズレたり、流されたりする可能性もある。
【０００７】
さらに、前記織布シートは合成樹脂（ポリプロピレン）で形成されているため、腐食したり、分解して土地と一体化したりすることなく残存し続けることとなり、土壌への悪影響も懸念される。また、前記織布シートは防草領域の平面形状に合致するように加工しなければならないので、防草領域が直線的形状に区画されていない場合は、前記織布シートの外周加工に多大な手間が必要となる。
【０００８】
本発明が解決しようとする課題は、施工が容易で、雑草排除作用に優れ、土壌への悪影響もなく、自然景観との調和も図ることができる防草工法を提供することにある。
【課題を解決するための手段】
【０００９】
本発明に係る防草工法は、土質材、セメント系固化剤、団粒化剤及び水を混ぜ合わせる混練工程と、前記混練工程で形成された混練物を地盤上に打設して植栽層を形成する造成工程と、前記造成工程で形成された植栽層の表面に植栽穴を形成する造穴工程と、前記造穴工程で形成された植栽穴に地被植物の苗を植え込む定植工程と、を備えたことを特徴とする。
【００１０】
このような構成とすれば、セメント系固化剤の作用によって固化した植栽層はアスファルト舗装程度に硬いので、その表面に雑草の種子が飛来しても活着し難く、地盤中に存在する雑草種子の発芽も地盤上に形成された硬質の植栽層によって遮られるので、雑草排除作用に優れている。
【００１１】
また、前記造成工程で形成された直後で固化前の植栽層中では、団粒化剤に含まれるイオンの作用により土質材とセメント系固化剤の粒子とが立体的な団粒構造を形成する結果、連続した空隙が発生するため、固化後の植栽層は透水性と保水性とをバランス良く兼備し、通気性も良好となる。従って、植栽層に形成された植栽穴に植え込まれた地被植物の苗は順調に生育し、やがて植栽層の表面全体を覆った状態となるので、自然景観との調和も図ることができる。
【００１２】
さらに、土質材、セメント系固化剤、団粒化剤及び水を混ぜ合わせた混練物を地盤上に打設して形成した植栽層に開設した植栽穴に地被植物の苗を植え込むだけで防草領域を形成することができるので、施工が容易である。また、固化後の植栽層から有害物質が溶出することがなく、自然に腐食・分解しない合成樹脂製のシートやマットなども使用しないので、土壌への悪影響もない。
【００１３】
ここで、前記植込穴は、前記育成層の表面から前記地盤に至る深さであることが望ましい。このような構成とすれば、植栽穴に植え込まれた地被植物の苗の根が直接、地盤に向かって生長できるので、活着が早まり、地盤中の養分の吸収が可能となり、生育状況も良好となる。
【００１４】
一方、前記団粒化剤は、アクリル酸・メタクリル酸ジメチルアミノエチル共重合物のマグネシウム塩とポリエチレンイミンとの複合体からなる高分子化合物を含むものであることが望ましい。このような団粒化剤を使用すれば、植栽層中に強固な団粒構造が形成されるので、透水性と保水性とをバランス良く兼備し、通気性も良好であって、強度と耐久性に優れた植栽層を形成することができる。
【発明の効果】
【００１５】
本発明により、施工が容易で、雑草排除作用に優れ、土壌への悪影響もなく、自然景観との調和も図ることができる防草工法を提供することができる。
【図面の簡単な説明】
【００１６】
【図１】本発明の実施形態である防草工法を構成する混練工程を示す図である。
【図２】本発明の実施形態である防草工法を構成する造成工程を示す図である。
【図３】本発明の実施形態である防草工法を構成する造穴工程、定植工程及びその後の状況を示す図である。
【発明を実施するための形態】
【００１７】
図１に示すように、土質材１０及びセメント系固化剤１１をミキサ１２に投入して、十分に撹拌、混合する。ミキサ１２はモータ１３などを動力源とする撹拌混合機能を有するものを用いることができる。土質材１０としては、真砂土、シラス、焼却灰あるいは防草領域の施工現場から採取した土砂などを使用することができる。なお、土質材１０の代わりに、若しくは土質材１０と併せて、瓦の廃材、ガラスの廃材あるいは溶融スラグの粉砕物を使用することもできる。
【００１８】
土質材１０とセメント系固化剤１１とが均一に混合されたら、アクリル酸・メタクリル酸ジメチルアミノエチル共重合物のマグネシウム塩とポリエチレンイミンとの複合体からなる高分子化合物を含む団粒化剤１４及び水を添加し、さらに撹拌、混練することによって混練物１５を形成する（混練工程）。なお、撹拌混合手段は限定しないので、前述したミキサ１２の代わりにバックホウを用いて混合することもできる。
【００１９】
本実施形態において、混練物１５を構成する各成分の混合比率は次の通りであるが、これに限定するものではない。
土質材１０：１０００ｋｇ〜１５００ｋｇ
セメント系固化剤１１：１００ｋｇ〜２００ｋｇ
団粒化剤１４：１リットル〜１０リットル
水：適量（混練物１５の流動性や固さなどを確認しながら添加量を調整する。）
【００２０】
図１に示す混練工程で得られた混練物１５を、図２に示すように、防草領域である地盤１６上に打設して植栽層１７を形成する（造成工程）。この後、植栽層１７が固化する前に、図３（ａ）に示すように、植栽層１７の表面に複数の植栽穴１８を形成する（造穴工程）。この場合、植込穴１８の深さは、育成層１７の表面１７ａから少なくとも地盤１６の上面１６ａに至る深さとすることが望ましい。植栽穴１８の間隔は限定しないので、施工条件に応じて任意に設定することができる。
【００２１】
次に、前記造穴工程の完了後、１５時間程度養生することにより、植栽層１７が十分に固化したら、図３（ｂ）に示すように、造穴工程で形成されたそれぞれの植栽穴１８に地被植物の苗１９を植え込む（定植工程）。本実施形態では、苗１９として、地被植物の一つである芝生のポット苗を使用しているが、これに限定するものではないので、イワダレソウなどの他の地被植物の苗を使用することができる。
【００２２】
ポット式の苗１９の植え込み完了後、日数が経過すると、図３（ｃ）に示すように、活着した芝生の苗１９から植栽層１７及び地盤１６に向かって根Ｒ１が生長していくとともに、植栽層１７の表面１７ａに沿ってランナＲ２が生長していく。苗１９の芝生が植栽層１７に活着して生育していく過程において、植栽層１７の表面１７ａに雑草種子Ｐ１が飛来しても植栽層１７が硬質であるので活着することができず、硬質の植栽層１７によって地盤１６中に存在する雑草種子Ｐ２の発芽も遮られるので、優れた雑草排除作用が得られる。
【００２３】
この後、日数が経過すると、芝生の苗１９の根Ｒ１及びランナＲ２の生長とともに苗１９自体も順調に生育していき、やがて図３（ｄ）に示すように、植栽層１７の表面１７ａ全体が芝生２０で覆われた状態となる。図３（ｄ）の状態となった後は芝生２０によって雑草の生育が阻止されるので、長期間に亘って防草効果を維持することができる。
【００２４】
本実施形態において、前述した造成工程で形成された直後で固化前の植栽層１７中では、団粒化剤１４に含まれるイオンの作用により土質材１０とセメント系固化剤１１の粒子とが立体的な団粒構造を形成する結果、連続した空隙が発生するため、固化後の植栽層１７は透水性と保水性とをバランス良く兼備し、通気性も良好となる。従って、植栽層１７に形成された植栽穴１８に植え込まれた地被植物の苗１９は順調に生育し、植栽層１７の表面１７ａ全体を覆った状態となるので、自然景観との調和も図ることができる。
【００２５】
さらに、土質材１０、セメント系固化剤１１、団粒化剤１４及び水を混ぜ合わせた混練物１５を地盤１６上に打設して形成した植栽層１７に開設した植栽穴１８に地被植物の苗１９を植え込むだけで防草領域を形成することができるので、施工が容易である。また、固化後の植栽層１７から有害物質が溶出することがなく、自然に腐食・分解しない合成樹脂製のシートやマットなども使用しないので、土壌への悪影響もない。
【００２６】
また、植込穴１８の深さを、育成層１７の表面１７ａから地盤１６の上面１６ａに至る深さとしたことにより、植栽穴１８に植え込まれた地被植物の苗１９の根Ｒ１が直接、地盤１６に向かって生長できるので、活着が早まり、地盤１６中の養分の吸収が可能となり、生育状況も良好となる。
【００２７】
さらに、団粒化剤１４として、アクリル酸・メタクリル酸ジメチルアミノエチル共重合物のマグネシウム塩とポリエチレンイミンとの複合体からなる高分子化合物を含むものを使用したことにより、植栽層１７中に強固な団粒構造が形成されるので、透水性と保水性とをバランス良く兼備し、通気性も良好であり、強度と耐久性に優れた植栽層１７を形成することができる。
【産業上の利用可能性】
【００２８】
本発明の防草工法は、道路の中央分離帯、路側帯、公園あるいは庭園などに防草領域を形成する際に好適に利用することができる。
【符号の説明】
【００２９】
１０  土質材
１１  セメント系固化剤
１２  ミキサ
１３  モータ
１４  団粒化剤
１５  混練物
１６  地盤
１６ａ  上面
１７  植栽層
１７ａ  表面
１８  植栽穴
１９  苗
２０  芝生
Ｐ１，Ｐ２  雑草種子
Ｒ１  根
Ｒ２  ランナ
【図１】
2011092098.tif 000003
【図２】
2011092098.tif 000004
【図３】
2011092098.tif 000005